Podtech/llm-jp-corpus-v4-ja_patent huggingface dataset:
【手続補正書】
【提出日】平成23年12月1日(2011.12.1)
【手続補正１】
【補正対象書類名】特許請求の範囲
【補正対象項目名】全文
【補正方法】変更
【補正の内容】
【特許請求の範囲】
【請求項１】
組成物であって、
ａ）ホスフィン酸塩及び窒素含有化合物からなる群から選択される少なくとも１種の難燃性成分；及び
ｂ）スチレン−マレイン酸無水物コポリマー、長鎖カルボン酸塩及び酸性基によって置換された脂肪族ポリエーテルからなる群から選択される少なくとも１種のポリマー分散剤；及び
ｃ）ポリマー基材
を含む、組成物。
【請求項２】
難燃性成分ａ）が、構造式
【化１】
2012500877.tif 000001
（式中、
Ｒ１、Ｒ２は直鎖状又は分枝鎖状のＣ１−Ｃ８アルキル基、水素、又はフェニル基を表し；且つ
Ｒ３は直鎖状又は分枝鎖状のＣ１−Ｃ１０アルキレン、アリーレン、アルキルアリーレン、又はアリールアルキレン基を表す）によって表される、ホスフィン酸の塩である、請求項１記載の組成物。
【請求項３】
ホスフィン酸（Ｉ）の塩が式
【化２】
2012500877.tif 000002
（式中、
Ｒ１、Ｒ２は直鎖状又は分枝鎖状のＣ１−Ｃ８アルキル基、水素又はフェニル基を表し、
Ｍは（Ｃ１−Ｃ４アルキル）４Ｎ、（Ｃ１−Ｃ４アルキル）３ＮＨ、（Ｃ２−Ｃ４アルキルＯＨ）４Ｎ、（Ｃ２−Ｃ４アルキルＯＨ）３ＮＨ、（Ｃ２−Ｃ４アルキルＯＨ）２Ｎ（ＣＨ３）２、（Ｃ２−Ｃ４アルキルＯＨ）２ＮＨＣＨ３、（Ｃ６Ｈ５）４Ｎ、（Ｃ６Ｈ５）３ＮＨ、（Ｃ６Ｈ５ＣＨ３）４Ｎ、（Ｃ６Ｈ５ＣＨ３）３ＮＨ、ＮＨ４、アルカリ金属又はアルカリ土類金属イオン、又はアルミニウム、亜鉛、鉄又はホウ素イオンを表し；
ｍは１〜３の数字であり且つＭの正電荷の数を示し；且つ
ｎは１〜３の数字であり且つＭｍ＋に対応するホスフィン酸アニオンの数を示す）
によって表される、請求項２記載の組成物。
【請求項４】
ホスフィン酸（Ｉ）の塩が式
【化３】
2012500877.tif 000003
によって表される、請求項２または３記載の組成物。
【請求項５】
難燃性成分ａ）が、ポリリン酸アンモニウム、ポリリン酸メラミン、リン酸メラミンアンモニウム、ポリリン酸メラミンアンモニウム、ピロリン酸メラミンアンモニウム、メラミンとリン酸との縮合生成物及びメラミンとリン酸との他の反応生成物及びそれらの混合物からなる群から選択される窒素含有化合物である、請求項１〜４のいずれか１項に記載の組成物。
【請求項６】
難燃性成分ａ）がメラミンシアヌレートである、請求項１〜４のいずれか１項に記載の組成物。
【請求項７】
スチレン−マレイン酸無水物コポリマー成分ｂ）が式：
【化４】
2012500877.tif 000004
（式中、−Ｘ−は−Ｏ−、−ＮＨ−又は−ＮＲ−を表し、ここでＲはＣ１−Ｃ４アルキル又はアリールを表し、ｍは１〜５０の数字であり、ｎは１〜５の数字である）によって表される、請求項１〜６のいずれか１項に記載の組成物。
【請求項８】
成分ｂ）の酸性基によって置換された脂肪族ポリエーテルが、式
【化５】
2012500877.tif 000005
（式中、ＲはＣ８〜Ｃ１８アルキル基を表し且つｎは５〜１０の数字を表す）によって表される、請求項１〜６のいずれか１項に記載の組成物。
【請求項９】
成分ｃ）のポリマー基材が、ジアミン及びジカルボン酸又はアミノカルボン酸又は対応するラクタムから誘導されたポリアミド又はコポリアミドである、請求項１〜８のいずれか１項に記載の組成物。
【請求項１０】
ポリマー安定剤及び追加の難燃剤からなる群から選択される更なる添加剤を付加的に含む、請求項１〜９のいずれか１項に記載の組成物。
【請求項１１】
混合物であって、
ａ）窒素含有化合物及びホスフィン酸の塩からなる群から選択される少なくとも１種の難燃性成分；及び
ｂ）スチレン−マレイン酸無水物コポリマー、長鎖カルボン酸塩及び酸性基によって置換された脂肪族ポリエーテルからなる群から選択される少なくとも１種のポリマー分散剤
を含む、混合物。
【請求項１２】
ポリマー基材に請求項１１記載の混合物を添加することを含む、ポリマー基材に難燃性を付与する方法。
【手続補正書】
【提出日】平成24年8月16日(2012.8.16)
【手続補正１】
【補正対象書類名】特許請求の範囲
【補正対象項目名】全文
【補正方法】変更
【補正の内容】
【特許請求の範囲】
【請求項１】
複数の折り畳みモザイク式配置を含むコア構造であって、前記折り畳みモザイク式配置が、さらに、
（ａ）少なくとも２００グラム／デニール（１８０グラム／デシテックス）のモジュラスおよび少なくとも１０グラム／デニール（９グラム／デシテックス）の靭性を有する繊維を含む不織シートと、
（ｂ）硬化樹脂および不織シートの合わせた重量の百分率としての硬化樹脂の重量が少なくとも５０パーセントであるような量の硬化樹脂と
を含み、樹脂による含浸の前に、
（１）前記不織シートが、式Ｄｐ＝Ｋ×（（ｄｒ×（１００−％ｒ）／％ｒ）／（１＋ｄｒ／ｄｓ×（１００−％ｒ）／％ｒ）（式中、Ｄｐは含浸前の前記不織シートの見掛け密度であり、ｄｒは前記硬化樹脂の密度であり、ｄｓは含浸前の前記不織シート中の固体材料の密度であり、％ｒは最終コア構造中の重量％単位での前記硬化樹脂含量であり、Ｋは１．０〜１．５の値を有する数である）から計算される見掛け密度を有し、
（２）前記不織シートが、３０秒／１００ミリリットル以下のＧｕｒｌｅｙ多孔度を有するコア構造。
【手続補正２】
【補正対象書類名】明細書
【補正対象項目名】００４６
【補正方法】変更
【補正の内容】
【００４６】
表１の要約から分かるように、本発明に従って見掛け密度および不織シートへの樹脂浸透について最適化された不織シートを有する実施例１の折り畳みコア構造は、従来技術を代表するより高密度の不織シートから製造された比較例１の折り畳みコア構造と比較して、２倍の圧縮率（剛性）を与えた。両方のコアの圧縮強度は同様であった。このことによって、折り畳みコア構造を製造するために使用された不織シートの密度および不織シート内に含浸された樹脂含量の両方の最適化は、圧縮率の著しい改善をもたらすことが確認される。
本発明の好ましい態様を示す。
１．複数の折り畳みモザイク式配置を含むコア構造であって、前記折り畳みモザイク式配置が、さらに、
（ａ）少なくとも２００グラム／デニール（１８０グラム／デシテックス）のモジュラスおよび少なくとも１０グラム／デニール（９グラム／デシテックス）の靭性を有する繊維を含む不織シートと、
（ｂ）硬化樹脂および不織シートの合わせた重量の百分率としての硬化樹脂の重量が少なくとも５０パーセントであるような量の硬化樹脂と
を含み、樹脂による含浸の前に、
（１）前記不織シートが、式Ｄｐ＝Ｋ×（（ｄｒ×（１００−％ｒ）／％ｒ）／（１＋ｄｒ／ｄｓ×（１００−％ｒ）／％ｒ）（式中、Ｄｐは含浸前の前記不織シートの見掛け密度であり、ｄｒは前記硬化樹脂の密度であり、ｄｓは含浸前の前記不織シート中の固体材料の密度であり、％ｒは最終コア構造中の重量％単位での前記硬化樹脂含量であり、Ｋは１．０〜１．５の値を有する数である）から計算される見掛け密度を有し、
（２）前記不織シートが、３０秒／１００ミリリットル以下のＧｕｒｌｅｙ多孔度を有するコア構造。
２．前記不織シートが、７０〜１００重量％の繊維および０〜３０重量％のバインダーを含む上記１に記載のコア構造。
３．前記不織シートが、湿式不織シートである上記２に記載のコア構造。
４．前記バインダーが、ｍ−アラミドフィブリッドを含む上記２に記載のコア構造。
５．前記繊維が、ｐ−アラミド繊維を含む上記２に記載のコア構造。
６．上記１〜５のいずれかに記載のコア構造と、前記コア構造の少なくとも１つの外部表面に取り付けられた少なくとも１つのフェースシートとを含む複合パネル。
７．前記フェースシートが、樹脂が含浸された繊維、プラスチックまたは金属から製造される上記６に記載の構造パネル。
【手続補正書】
【提出日】平成24年8月23日(2012.8.23)
【手続補正１】
【補正対象書類名】特許請求の範囲
【補正対象項目名】全文
【補正方法】変更
【補正の内容】
【特許請求の範囲】
【請求項１】
４〜２０個の炭素原子を有する少なくとも１種の単環式オレフィンを含む混合物Ｇ１を、１７０〜３４０℃の温度において、少なくとも一酸化二窒素を含む混合物Ｇ２と反応させることによって、４〜２０個の炭素原子を有する少なくとも１種の単環式ケトンを製造する連続的な方法であって、該反応を断熱的に実施し、かつ前記混合物Ｇ１および／またはＧ２が、４〜２０個の炭素原子を有する少なくとも１種の単環式ケトンを得るための前記反応の前に、１７０〜２７０℃の温度に予備加熱され、前記混合物Ｇ１および／またはＧ２を予備加熱するために必要な熱エネルギーが、少なくとも部分的に、該方法の生成物流から回収されることを特徴とする前記方法。
【請求項２】
前記混合物Ｇ１を予備加熱するために必要な熱エネルギーが、少なくとも部分的に、該方法の生成物流から回収されることを特徴とする、請求項１に記載の方法。
【請求項３】
それぞれ混合物Ｇ１に対して、２０〜９８質量％の４〜２０個の炭素原子を有する少なくとも１種の単環式オレフィンと、それぞれ混合物Ｇ１に対して、２〜８０質量％の少なくとも１種のさらなる炭化水素とを含む混合物Ｇ１が使用されることを特徴とする、請求項１または２に記載の方法。
【請求項４】
それぞれ混合物Ｇ１に対して、３０〜８０質量％の４〜２０個の炭素原子を有する少なくとも１種の単環式オレフィンと、それぞれ混合物Ｇ１に対して、２０〜７０質量％の少なくとも１種のさらなる炭化水素とを含む混合物Ｇ１が使用されることを特徴とする、請求項１から３までのいずれか１項に記載の方法。
【請求項５】
それぞれ混合物Ｇ１に対して、４０〜６０質量％の４〜２０個の炭素原子を有する少なくとも１種の単環式オレフィンと、それぞれ混合物Ｇ１に対して、４０〜６０質量％の少なくとも１種のさらなる炭化水素とを含む混合物Ｇ１が使用されることを特徴とする、請求項１から４までのいずれか１項に記載の方法。
【請求項６】
前記混合物Ｇ１が、シクロペンテン、シクロヘキセン、シクロヘプテン、シクロオクテン、およびそれらの混合物からなる群から選択される少なくとも１種の単環式オレフィンを含むことを特徴とする、請求項１から５までのいずれか１項に記載の方法。
【請求項７】
前記反応に際して、一酸化二窒素と少なくとも１種の単環式オレフィンとの間のモル比が、０．０２〜０．３の間であることを特徴とする、請求項１から６までのいずれか１項に記載の方法。
【請求項８】
反応器における断熱温度増加が、１０〜１４０℃の間であることを特徴とする、請求項１から７までのいずれか１項に記載の方法。
【請求項９】
前記反応器における前記断熱温度増加が、２５〜１００℃の間であることを特徴とする、請求項１から８までのいずれか１項に記載の方法。
【請求項１０】
反応器出口温度が、生成混合物の分解のための開始温度より低いことを特徴とする、請求項１から９までのいずれか１項に記載の方法。
【請求項１１】
前記反応器出口温度が、前記生成混合物の断熱誘導時間が２４時間である温度より少なくとも１０Ｋ低いことを特徴とする、請求項１から１０までのいずれか１項に記載の方法。
【請求項１２】
６０〜５００ｂａｒの反応圧力において実施されることを特徴とする、請求項１から１１までのいずれか１項に記載の方法。
【請求項１３】
前記混合物Ｇ２が、少なくとも７５体積％の一酸化二窒素を含むことを特徴とする、請求項１から１２までのいずれか１項に記載の方法。
【請求項１４】
一酸化二窒素に基づく転化率が８０〜１００％であることを特徴とする、請求項１から１３までのいずれか１項に記載の方法。
【請求項１５】
少なくとも、以下の工程：
（Ａ）断熱条件下において、４〜２０個の炭素原子を有する少なくとも１種の単環式オレフィンを含む混合物Ｇ１を、少なくとも一酸化二窒素を含む混合物Ｇ２と反応させ、反応混合物Ｇ３を得る工程、
（Ｂ）工程（Ａ）において得られた該反応混合物Ｇ３から、４〜２０個の炭素原子を有する少なくとも１種の単環式ケトンを分離する工程
を含む、請求項１から１４までのいずれか１項に記載の方法。
【請求項１６】
未転化の４〜２０個の炭素原子を有する単環式オレフィンを、前記分離段階（Ｂ）において分離することを特徴とする、請求項１５に記載の方法。
【請求項１７】
前記分離段階（Ｂ）において分離された前記未転化の４〜２０個の炭素原子を有する単環式オレフィンが、前記工程の段階（Ａ）に再循環されることを特徴とする、請求項１６に記載の方法。
【請求項１８】
生成物流の少なくとも一部を、混合物Ｇ１の少なくとも一部と、熱交換器において接触させる、請求項１に記載の方法。
【手続補正２】
【補正対象書類名】明細書
【補正対象項目名】００２０
【補正方法】変更
【補正の内容】
【００２０】
好ましい実施形態において、本発明による方法は、反応によって生じる反応熱が、生成混合物がそれらの分解のための開始温度よりかなり低い温度（Ｔ出）で反応器から放出されるために必要な熱であるのように、上記において言及されたパラメータが確立されるような方式において実施することができる。本明細書において、開始温度は、少なくとも０．１Ｋ／分の昇温速度による、生成混合物の示差走査型熱量計試験（ＤＳＣ試験）において、著しい発熱反応が記録され始める温度として定義される。
【手続補正３】
【補正対象書類名】明細書
【補正対象項目名】００２１
【補正方法】変更
【補正の内容】
【００２１】
したがって、好ましい実施形態において、本発明は、４〜２０個の炭素原子を有する少なくとも１種の単環式オレフィンを含む混合物Ｇ１を、少なくとも一酸化二窒素を含む混合物Ｇ２と反応させることによって、４〜２０個の炭素原子を有する少なくとも１種の単環式ケトンを製造するための、上記の方法であって、当該反応器の出口温度が、生成混合物の分解のための開始温度より低い方法にも関する。
【手続補正４】
【補正対象書類名】明細書
【補正対象項目名】００２２
【補正方法】変更
【補正の内容】
【００２２】
特に好ましい実施形態において、本発明による方法は、反応によって生じる反応熱が、断熱誘導時間が正確に２４時間であるような温度より少なくとも１０Ｋ低い温度（Ｔ出）において反応混合物が反応器から放出されるために必要な熱であるのように、上記において言及されたパラメータが確立されるような方式において実施することができる。温度関数としての当該断熱誘導時間は、異なる加熱速度によるＤＳＣ実験のデータから、それ自体公知の方法において得ることができる。
【手続補正５】
【補正対象書類名】明細書
【補正対象項目名】００２３
【補正方法】変更
【補正の内容】
【００２３】
したがって、好ましい実施形態において、本発明は、４〜２０個の炭素原子を有する少なくとも１種の単環式オレフィンを含む混合物Ｇ１を、少なくとも一酸化二窒素を含む混合物Ｇ２と反応させることによって、４〜２０個の炭素原子を有する少なくとも１種の単環式ケトンを製造するための、上記の方法であって、当該反応器の出口温度が、生成混合物の断熱誘導時間が２４時間であるような温度より少なくとも１０Ｋ低い方法にも関する。
【手続補正書】
【提出日】平成24年8月24日(2012.8.24)
【手続補正１】
【補正対象書類名】特許請求の範囲
【補正対象項目名】全文
【補正方法】変更
【補正の内容】
【特許請求の範囲】
【請求項１】
円錐角膜またはその他の角膜拡張疾患の治療における角膜架橋結合処置で使用される眼用組成物であって、
１以上のバイオエンハンサーおよび／または１以上の光エンハンサーを含み、
バイオエンハンサーは、ＥＤＴＡ、ナトリウムＥＤＴＡ，カリウムＥＤＴＡ、ポリソルベート８０、トロメタミン、アゾン、塩化ベンズアルコニウム、塩化セチルピリジニウム、塩化セチルトリメチルアンモニウム、ラウリン酸、メントール、メトキシサリチル酸、ポリオキシエチレン、グリコール酸ナトリウム、グリコデオキシコール酸ナトリウム、ラウリル硫酸ナトリウム、サリチル酸ナトリウム、タウロコール酸ナトリウム、タウロデオキシコール酸ナトリウムから選択され、
光エンハンサーは、アクリジンイエロー、キニジンイエロー、メチレンブルー、エリト
ロシンから成る群の染料から選択される、眼用組成物。
【請求項２】
更に、リン酸リボフラビンを０．０５重量％から０．３重量％含有する、請求項１記載の眼用組成物。
【請求項３】
前記組成物に対して、バイオエンハンサーの量は０．０００１重量％から５重量％であり、ＥＤＴＡの量は０．００１重量％から１重量％であり、トロメタミンの量は０．００１重量％から２重量％であり、およびポリソルベート８０の量は０．００１重量％から５重量％である請求項１又は２記載の眼用組成物。
【請求項４】
ＥＤＴＡの量は０．０５重量％から０．５重量％であり、および／またはトロメタミンの量は０．０５重量％から０．５重量％の間である請求項１から３のいずれかに記載の眼用組成物。
【請求項５】
光エンハンサーの量は０．００１重量％から１重量％である請求項１記載の眼用組成物。
【請求項６】
１以上のバイオエンハンサーは、１以上の光エンハンサーおよびリボフラビンと共に存在する請求項１または２記載の眼用組成物。
【請求項７】
１以上のバイオエンハンサーは、リボフラビンと共に存在する請求項１または記載の眼用組成物。
【請求項８】
１以上の光エンハンサーは、リボフラビンと共に存在する請求項１または２記載の眼用組成物。
【請求項９】
請求項１から８のいずれかに記載の眼用組成物を含む、角膜架橋結合を利用する円錐角膜またはその他の角膜拡張疾患を治療するための洗眼液。
【手続補正書】
【提出日】平成24年8月23日(2012.8.23)
【手続補正１】
【補正対象書類名】特許請求の範囲
【補正対象項目名】全文
【補正方法】変更
【補正の内容】
【特許請求の範囲】
【請求項１】
薬学上許容される担体中にＴ細胞上でＰｒｏｇｒａｍｍｅｄ  Ｃｅｌｌ  Ｄｅａｔｈ−１（ＰＤ−１）に結合する化合物および増強剤を含んでなり、該化合物および該増強剤が哺乳類においてＴ細胞応答を増強するのに有効な量でともに存在する、治療組成物。
【請求項２】
前記化合物が、
（ａ）第一および第二のペプチド部分を含んでなり、該第一のペプチド部分がＰＤ−１結合ポリペプチドの有効断片を含んでなり、該第二のペプチド部分が免疫グロブリン（Ｉｇ）の一部を含んでなる、融合タンパク質、
（ｂ）その有効断片を含む抗ＰＤ−１抗体、
（ｄ）ＰＤ−１結合ポリペプチド、および
（ｅ）（ａ）、（ｂ）、および（ｄ）のいずれか２以上の組合せ
からなる群から選択される、請求項１に記載の組成物。
【請求項３】
前記増強剤がシクロホスファミドまたはシクロホスファミドの類似体である、請求項１に記載の組成物。
【請求項４】
前記増強剤がスニチニブ（ＳＵＴＥＮＴ）、抗ＴＧＦβまたはイマチニブ（ＧＬＥＥＶＡＣ）、アントラサイクリン、オキサリプラチン、ドキソルビシン、ＴＬＲ４アンタゴニスト、およびＩＬ−１８アンタゴニストである、請求項１に記載の組成物。
【請求項５】
抗Ｂ７−Ｈ１抗体、抗Ｂ７−ＤＣ抗体、抗ＣＴＬＡ４抗体、有糸分裂阻害剤、アロマターゼ阻害剤、Ａ２ＡＲアンタゴニスト、および脈管形成阻害剤からなる群から選択される少なくとも一つの付加的薬剤を投与することをさらに含んでなる、請求項１の組成物。
【請求項６】
Ｔ細胞において阻害的シグナル伝達を低減する化合物を増強剤と組み合わせて投与するための医療用キットであり、
（ａ）Ｔ細胞において阻害的シグナル伝達を低減する化合物の投与供給源、
（ｂ）増強剤供給源、
（ｃ）薬学上許容される担体の供給源、および
（ｄ）請求項５に記載の使用において化合物を投与するための説明書
を含んでなる、キット。
【請求項７】
第一および第二のペプチド部分を含んでなる融合タンパク質を含む治療組成物であって、該第一のペプチド部分が配列番号１のアミノ酸２０〜２２１または２０〜１２１のアミノ酸配列を含んでなり、かつ該第二のペプチド部分が免疫グロブリン（Ｉｇ）の一部および薬学上許容される担体中に増強剤を含んでなり、ここで融合タンパク質および増強剤が哺乳類においてＴ細胞応答を増強するのに有効な量でともに存在する、組成物。
【請求項８】
第一および第二のペプチド部分を含んでなる融合タンパク質を含む治療組成物であって、該第一のペプチド部分がＢ７−ＤＣ、Ｂ７−Ｈ１、ＰＤ−１、もしくはＢ７−１の細胞外ドメインまたは保存的アミノ酸置換のみによりそれらと異なるポリペプチド、およびこれらの断片からなり、かつ該第二のペプチド部分が免疫グロブリン（Ｉｇ）の一部および薬学上許容される担体中に増強剤を含んでなり、ここで融合タンパク質および増強剤が哺乳類においてＴ細胞応答を増強するのに有効な量でともに存在する、組成物。
【請求項９】
前記Ｂ７−ＤＣがヒトＢ７−ＤＣである、請求項８に記載の治療組成物。
【請求項１０】
抗ＰＤ−１抗体、抗Ｂ７−Ｈ１抗体、抗Ｂ７−ＤＣ抗体、抗ＣＴＬＡ４抗体、有糸分裂阻害剤、アロマターゼ阻害剤、Ａ２ＡＲアンタゴニスト、および脈管形成阻害剤からなる群から選択される付加的薬剤を更に含む、請求項７〜９のいずれか一項に記載の治療組成物。
【請求項１１】
前記増強剤がシクロホスファミドまたはシクロホスファミドの類似体である、請求項７〜１０のいずれか一項に記載の治療組成物。
【請求項１２】
前記増強剤がスニチニブ（ＳＵＴＥＮＴ）、抗ＴＧＦβまたはイマチニブ（ＧＬＥＥＶＡＣ）、アントラサイクリン、オキサリプラチン、ドキソルビシン、ＴＬＲ４アンタゴニスト、およびＩＬ−１８アンタゴニストである、請求項７〜１０のいずれか一項に記載の治療組成物。
【請求項１３】
前記化合物が、
（ａ）第一および第二のペプチド部分を含んでなり、該第一のペプチド部分がＰＤ−１アンタゴニストポリペプチドの有効断片を含んでなり、かつ該第二のペプチド部分が免疫グロブリン（Ｉｇ）の一部を含んでなる、融合タンパク質、
（ｂ）その有効断片を含む抗Ｂ７−Ｈ１抗体、
（ｃ）その有効断片を含む抗Ｂ７−ＤＣ抗体、
（ｄ）Ｂ７−Ｈ１結合ポリペプチド、
（ｅ）Ｂ７−ＤＣ結合ポリペプチド、および
（ｆ）（ａ）、（ｂ）、（ｃ）、（ｄ）、および（ｅ）のいずれか２以上の組合せ
からなる群から選択される、請求項１に記載の組成物。
【請求項１４】
抗ＰＤ−１抗体、抗ＣＴＬＡ４抗体、有糸分裂阻害剤、アロマターゼ阻害剤、Ａ２ＡＲアンタゴニスト、および脈管形成阻害剤からなる群から選択される付加的薬剤を更に含む、請求項１３に記載の組成物。
【請求項１５】
前記増強剤がシクロホスファミドまたはシクロホスファミドの類似体である、請求項１３に記載の組成物。
【請求項１６】
前記増強剤がスニチニブ（ＳＵＴＥＮＴ）、抗ＴＧＦβまたはイマチニブ（ＧＬＥＥＶＡＣ）、アントラサイクリン、オキサリプラチン、ドキソルビシン、ＴＬＲ４アンタゴニスト、およびＩＬ−１８アンタゴニストである、請求項１３に記載の組成物。
【手続補正書】
【提出日】平成24年8月23日(2012.8.23)
【手続補正１】
【補正対象書類名】特許請求の範囲
【補正対象項目名】全文
【補正方法】変更
【補正の内容】
【特許請求の範囲】
【請求項１】
免疫応答を調節可能な医薬組成物であって、ＰＤ−１、ＰＤ−Ｌ１、ＰＤ−Ｌ２、Ｂ７．１およびその断片からなる群から選択される有効な量のＰＤ−１アンタゴニストを含んでなり、内因性リガンドのＰＤ−１受容体への間欠的接近を可能にする、医薬組成物。
【請求項２】
ＰＤ−１アンタゴニストが内因性ＰＤ−Ｌ１と、ＰＤ−１との結合を阻害または低減する、請求項１に記載の医薬組成物。
【請求項３】
ＰＤ−１アンタゴニストが内因性ＰＤ−Ｌ２と、ＰＤ−１との結合を阻害または低減する、請求項１に記載の医薬組成物。
【請求項４】
ＰＤ−１アンタゴニストがＰＤ−１と結合する、請求項１に記載の医薬組成物。
【請求項５】
前記分子がＰＤ−１またはそのリガンドとインビボ投与後、３か月以内の期間結合する、請求項１に記載の医薬組成物。
【請求項６】
感染を治療するための医薬組成物であり、該感染が慢性ウイルス感染、細菌感染、真菌感染、マイコプラズマ感染、もしくは寄生虫感染であり、感染の急性期に毒素により媒介される疾患を誘発するか、または感染がＴ細胞応答の低下を特徴とする、請求項１に記載の医薬組成物。
【請求項７】
ウイルス感染が、肝炎ウイルス、ヒト免疫不全ウイルス、ヒトＴリンパ球向性ウイルス、ヘルペスウイルス、エプスタイン・バーウイルス、フィロウイルス、ヒト乳頭腫ウイルス、エプスタイン・バーウイルス、インフルエンザウイルス、呼吸器多核体ウイルス(respiratory synticial virus)、脳炎ウイルス、デング熱ウイルス、および乳頭腫ウイルスによる感染である、請求項６に記載の医薬組成物。
【請求項８】
寄生虫感染がマラリアまたはリーシュマニアである、請求項６に記載の医薬組成物。
【請求項９】
細菌感染が、結核菌(Mycobacterium tuberculosis)、炭疽菌(Bacillus anthracis)、ブドウ状球菌(Staphylococcus)、リステリア菌(Listeria)、およびクラミジア・トラコマチス(Clamydia trachomatis)からなる群から選択される細菌により引き起こされる、請求項６に記載の医薬組成物。
【請求項１０】
疾病抗原をさらに含んでなる、請求項１に記載の医薬組成物。
【請求項１１】
ＰＤ−１アンタゴニストがＰＤ−１リガンドの融合タンパク質である、請求項６に記載の医薬組成物。
【請求項１２】
融合タンパク質が、ＰＤ−１と結合し得るＰＤ−Ｌ２の細胞外ドメインまたはその断片を含んでなる、請求項１１に記載の医薬組成物。
【請求項１３】
融合タンパク質が配列番号８３のアミノ酸配列を有する、請求項１２に記載の医薬組成物。
【請求項１４】
免疫調節剤、Ｔｒｅｇの機能を枯渇させる、または阻害する薬剤、および共刺激分子からなる群から選択される付加的な有効薬剤をさらに含んでなる、請求項１に記載の医薬組成物。
【請求項１５】
付加的な有効薬剤がＣＤ４＋ＣＤ２５＋Ｔｒｅｇの機能を枯渇させる、または阻害する薬剤である、請求項１４に記載の医薬組成物。
【請求項１６】
ＣＤ４＋ＣＤ２５＋Ｔｒｅｇの機能を枯渇させる、または阻害する薬剤がシクロホスファミドである、請求項１５に記載の医薬組成物。
【請求項１７】
ＰＤ−１アンタゴニストを１以上の疾病抗原と組み合わせて含んでなる、組成物。
【請求項１８】
ＰＤ−１アンタゴニストをワクチンと組み合わせて含んでなる、組成物。
【誤訳訂正書】
【提出日】平成24年7月18日(2012.7.18)
【誤訳訂正１】
【訂正対象書類名】特許請求の範囲
【訂正対象項目名】請求項１
【訂正方法】変更
【訂正の内容】
【請求項１】
安定化ヘミアセタールを含む動的混合物であって、
ｉ）４２〜２３０ｇ／モルの間の分子量を有し且つ賦香性、風味付け、悪臭中和の、製薬学的、殺菌性、殺真菌性、昆虫忌避性又は昆虫誘引性の成分である少なくとも１種の活性な揮発性アルコールと；
ｉｉ）以下の式
【化１】
2012500859.tif 000001
（式中、ＱはＣＨＯ又は（ＣＨ２）ｍＣＯＯＨ基（ｍは０、１又は２である）を表すか、又は式
【化２】
2012500859.tif 000002
（式中、Ｒは水素原子、ＣＨＯ又はＣＯＯＨ基又はＣ１−６炭化水素基を表し、場合により酸素又は硫黄原子を含み且つ場合により置換され；
各々のＹは、同時に又は独立して、ＣＲ基（Ｒは上の通り定義される）を表すか、又は２つの隣接するＹが同時に窒素原子でなければ、窒素原子を表し；２つのＲ基が、一緒になって、５個又は６個の原子を含有し且つ前記Ｒが結合される炭素原子を含む、不飽和環又は芳香環を形成し、前記環は置換又は非置換であり且つ場合により１個又は２個の追加の窒素又は酸素原子を含有する）
の基を表す）
の少なくとも１種のモノ、ジ又はトリアルデヒド；及び
ｉｉｉ）場合により、式ＭＸｎの安定化塩、５より小さいＰＫａを有する安定化酸、又はその混合物（式中、ｎは１、２又は３を表し、Ｘは６より小さいＰＫａを有する酸ＨＸから誘導されたモノ−アニオンを表し、且つＭはＨ＋、Ｌｉ＋、Ｚｎ２＋、Ｆｅ２＋、Ｆｅ３＋、Ｎｉ２＋、Ｃｕ２＋、Ｙ３＋、Ｓｃ３＋、Ｌａ３＋、Ａｇ＋からなる群から選択されるカチオン及びアルカリ土類カチオンであり；
その際、前記Ｒの置換基は１つ又は２つの基、例えば、Ｒ１、ＯＨ、ＯＲ１、ＳＲ１、（ＮＲ２３）Ｒ３、ＳＯ２Ｒ４、ＳＯ３Ｒ４、ＣＯＯＲ４又はＣＨＯを含み、ここでＲ１はＣ１−Ｃ４、炭化水素基、又はフェニル基を表し、場合により上で定義されたのと同じ基で置換され、Ｒ２は水素原子又はＲ１基を表し、Ｒ３はハロゲンアニオン又は硫酸アニオンを表し、Ｒ４は水素原子又はアルカリ金属カチオンを表す）
を含む組成物と、を反応させることによって得られる、動的混合物。
【誤訳訂正２】
【訂正対象書類名】明細書
【訂正対象項目名】００１７
【訂正方法】変更
【訂正の内容】
【００１７】
ここで、本発明は（活性な揮発性アルコールの制御された放出のための）動的混合物の活性成分としての使用に関し、前記動的混合物は安定化されたヘミアセタールを含み且つ
ｉ）４２〜２３０ｇ／モルの間の分子量を有し且つ芳香性、風味付け、悪臭中和の、製薬学的、殺菌性、殺真菌性、昆虫誘引性又は昆虫忌避性の成分であり、特に、Ｃ４−１５芳香性アルコールからなる群から選択される少なくとも１種の活性な揮発性アルコールと；
ｉｉ）以下の式
【化１】
2012500859.tif 000003
（式中、ＱはＣＨＯ又は（ＣＨ２）ｍＣＯＯＨ基（ｍは０、１又は２である）を表すか、又は式
【化２】
2012500859.tif 000004
（式中、Ｒは水素原子、ＣＨＯ又はＣＯＯＨ基又はＣ１−６炭化水素基を表し、場合により酸素又は硫黄原子を含み且つ場合により置換され；
各々のＹは、同時に又は独立して、ＣＲ基（Ｒは上の通り定義される）を表すか、又は２つの隣接するＹが同時に窒素原子でなければ、窒素原子を表し；２つのＲ基が、一緒になって、５個又は６個の原子を含有し且つ前記Ｒが結合される炭素原子を含む、不飽和環又は芳香環を形成し、前記環は置換又は非置換であり且つ場合により１個又は２個の追加の窒素又は酸素原子を含有する）
の基を表す）
の少なくとも１種のモノ、ジ又はトリアルデヒド；及び
ｉｉｉ）場合により、式ＭＸｎの安定化塩、５より小さいＰＫａを有する安定化酸、又はその混合物（式中、ｎは１、２又は３を表し、Ｘは６より小さいＰＫａを有する酸ＨＸから誘導されたモノ−アニオンを表し、且つＭはＨ＋、Ｌｉ＋、Ｚｎ２＋、Ｆｅ２＋、Ｆｅ３＋、Ｎｉ２＋、Ｃｕ２＋、Ｙ３＋、Ｓｃ３＋、Ｌａ３＋、Ａｇ＋からなる群から選択されるカチオン及びアルカリ土類カチオンである）
を含む組成物と、を反応させることによって得られる。
【手続補正書】
【提出日】平成24年8月27日(2012.8.27)
【手続補正１】
【補正対象書類名】特許請求の範囲
【補正対象項目名】全文
【補正方法】変更
【補正の内容】
【特許請求の範囲】
【請求項１】
別個のＣＤ５エピトープに結合する能力を持つ少なくとも２つの抗ＣＤ５抗体を含む抗体組成物。
【請求項２】
該エピトープが非オーバーラップエピトープである、請求項１に記載の抗体組成物。
【請求項３】
該抗体が、ドメインＩ、ドメインＩＩ、およびドメインＩＩＩからなる群より選択されるＣＤ５の少なくとも１つの細胞外ドメインに結合する、請求項１または２に記載の抗体組成物。
【請求項４】
ある別個のＣＤ５エピトープに結合する少なくとも一つの抗体が、少なくとも一つの他の抗体の異なる別個のＣＤ５エピトープへの結合を強化する能力を持つ、請求項１〜３のいずれか一項に記載の抗体組成物。
【請求項５】
ある別個のＣＤ５エピトープに結合する少なくとも一つの抗体が、ＣＤ５に関して、少なくとも一つの他の抗体の最大結合能を増加させる能力を持つ、請求項１〜４のいずれか一項に記載の抗体組成物。
【請求項６】
該抗体が組換え抗体である、請求項１〜５のいずれか一項に記載の抗体組成物。
【請求項７】
該抗ＣＤ５抗体の少なくとも一つが１０−８Ｍ以下のＫｄ値を持つ、請求項１〜６のいずれか一項に記載の抗体組成物。
【請求項８】
該ＣＤ５がヒトＣＤ５である、請求項１〜７のいずれか一項に記載の抗体組成物。
【請求項９】
該抗体が非ヒト哺乳動物ＣＤ５に結合する能力を持つ、請求項１〜８のいずれか一項に記載の抗体組成物。
【請求項１０】
該抗体が、ヒトＣＤ５に対する該抗体の結合アフィニティーと実質的に等しいアフィニティーで該非ヒト哺乳動物ＣＤ５に結合する能力を持つ、請求項９に記載の抗体組成物。
【請求項１１】
該哺乳動物が霊長類である、請求項９または１０に記載の抗体組成物。
【請求項１２】
少なくとも一つの抗体分子が、配列番号５０４に示す定常ドメインκ軽鎖配列を含む、請求項１〜１１のいずれか一項に記載の抗体組成物。
【請求項１３】
組成物の全ての抗体分子が、配列番号５０４に示す定常ドメインκ軽鎖配列を含む、請求項１〜１２のいずれか一項に記載の抗体組成物。
【請求項１４】
少なくとも一つの抗体分子が、配列番号５０６に示す定常ドメイン重鎖配列を含む、請求項１〜１３のいずれか一項に記載の抗体組成物。
【請求項１５】
組成物の全ての抗体分子が、配列番号５０６に示す定常ドメイン重鎖配列を含む、請求項１〜１４のいずれか一項に記載の抗体組成物。
【請求項１６】
請求項１〜１５のいずれか一項に記載の抗体組成物の結合特異性を持つ二重特異性結合分子。
【請求項１７】
抗体：１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、および３７のＣＤＲを持つ抗体からなる群より選択される少なくとも一つの抗ＣＤ５抗体分子を含む、請求項１〜１６のいずれか一項に記載の抗体組成物。
【請求項１８】
該組成物の全ての抗ＣＤ５抗体分子が、抗体：１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、および３７のＣＤＲを持つ抗体からなる群より選択される、請求項１〜１７のいずれか一項に記載の抗体組成物。
【請求項１９】
請求項１〜１５、１７および１８のいずれか一項に記載の抗体組成物または請求項１６に記載の二重特異性結合分子を活性成分として含む医薬組成物。
【請求項２０】
がんの処置または予防のための、請求項１９に記載の医薬組成物。
【請求項２１】
慢性リンパ球性白血病の処置または予防のための、請求項１９に記載の医薬組成物。
【請求項２２】
関節リウマチの処置または予防のための、請求項１９に記載の医薬組成物。
【請求項２３】
抗体組成物を製造するための方法であって、
ａ．真核細胞の第１の集団に、第１の別個のＣＤ５エピトープに結合する能力を持つＶＨおよびＶＬ鎖の第１のコグネイトペアを含む第１の抗体をコードする第１の発現コンストラクトをトランスフェクトすること；
ｂ．真核細胞の第２の集団に、第２の別個のＣＤ５エピトープに結合する能力を持つＶＨおよびＶＬ鎖の第２のコグネイトペアを含む第２の抗体をコードする第２の発現コンストラクトをトランスフェクトすること；
ｃ．所望により、第３またはそれ以上の集団、発現コンストラクト、コグネイトペア、およびＣＤ５エピトープについて、工程ｂ）を繰り返すこと；
ｄ．トランスフェクトされた第１、第２、および所望によりそれ以上の細胞集団を選択すること；
ｅ．トランスフェクトされた集団を一つに合わせて細胞バンクを得ること；
ｆ．細胞バンクからの細胞を、抗体の発現を可能とする条件下で培養すること；および
ｇ．上清から抗体組成物を回収し、精製すること
を含む方法。
【請求項２４】
抗体組成物が請求項１〜１５、１７および１８のいずれか一項に記載の抗体組成物である、請求項２３の方法。
【請求項２５】
細胞が部位特異的組込みによってトランスフェクトされる、請求項２３の方法。
【請求項２６】
抗体のＶＨおよびＶＬ領域がマウス由来であり、抗体の定常領域がヒト由来である、請求項２３の方法。
【請求項２７】
全ての抗体が同じ重鎖定常領域を含む、請求項２６の方法。
【請求項２８】
真核細胞の亜集団を少なくとも２つは含み、各亜集団が、別個のＣＤ５エピトープに結合する能力を持つＶＨおよびＶＬ鎖のコグネイトペアを含む抗体をコードする１つの発現コンストラクトでトランスフェクトまたは形質導入されている、細胞バンク。
【請求項２９】
請求項１〜１５、１７および１８のいずれか一項に記載の抗体組成物をコードする、請求項２８に記載の細胞バンク。
【請求項３０】
ＣＤ５を発現する細胞を殺す方法であって、ＣＤ５を発現する細胞に、請求項１〜１５、１７および１８のいずれか一項に記載の抗体組成物または請求項１６に記載の二重特異性結合分子を投与し、それによってＣＤ５発現細胞を殺すことを含む方法。
【手続補正書】
【提出日】平成24年5月29日(2012.5.29)
【手続補正１】
【補正対象書類名】特許請求の範囲
【補正対象項目名】全文
【補正方法】変更
【補正の内容】
【特許請求の範囲】
【請求項１】
血小板減少症の治療または予防において使用するための組み換えポリクローナル抗−ＲｈＤ抗体生成物であって、該抗体生成物が患者の体重１ｋｇあたり特異的抗体１０−５００μｇの用量で投与されるために調製され、該組み換えポリクローナル抗−ＲｈＤ抗体生成物が個々の抗体の規定のサブセットを含み、ＲｈＤ抗原上の少なくとも１つのエピトープに対する結合を示すところの、組み換えポリクローナル抗−ＲｈＤ抗体生成物。
【請求項２】
少なくとも１つのエピトープがｅｐＤ１、ｅｐＤ２、ｅｐＤ３、ｅｐＤ４、ｅｐＤ５、ｅｐＤ６／７、ｅｐＤ８および／またはｅｐＤ９からなる群から選択される、請求項１記載の抗体生成物。
【請求項３】
個々のメンバーの少なくとも１つがｅｐＤ３、ｅｐＤ４およびｅｐＤ９（ＲｈＤカテゴリーＶＩ抗原）に特異的に結合し、さらに、メンバーが単独で、または組み合わせて、残りのＲｈＤ抗原エピトープｅｐＤ１、ｅｐＤ２、ｅｐＤ５、ｅｐＤ６／７およびｅｐＤ８に結合する、請求項１記載の抗体生成物。
【請求項４】
個々の抗体がＲｈ  Ｃ、ｃ、Ｅ、およびｅ抗原に結合しないか、またはわずかに結合する、請求項１記載の抗体生成物。
【請求項５】
血小板減少症が貧血を有する対象において治療される、請求項１〜４のいずれか１項記載の抗体生成物。
【請求項６】
対象がＲｈＤ陽性である、請求項１〜５のいずれか１項記載の抗体生成物。
【請求項７】
対象がＲｈＤ陰性である、請求項１〜５のいずれか１項記載の抗体生成物。
【請求項８】
対象が脾臓摘出していない、請求項１〜７のいずれか１項記載の抗体生成物。
【請求項９】
対象が脾臓摘出している、請求項１〜７のいずれか１項記載の抗体生成物。
【請求項１０】
血小板減少症が免疫成分を含む、請求項１〜９のいずれか１項記載の抗体生成物。
【請求項１１】
血小板減少症が免疫成分を含まない、請求項１〜９のいずれか１項記載の抗体生成物。
【請求項１２】
血小板減少症が、ＩＴＰ、抗リン脂質抗体症候群、獲得性選択的無巨核球性形成不全、感染性因子、排他的ではないが、特に、ヘリコバクター・ピロリ、ＨＩＶおよび／またはＣ型肝炎によって引き起こされる免疫性血小板減少症、新生児の自己免疫性または同種免疫性血小板減少症（母体経胎盤性移入抗体による）および薬物依存性抗体を伴う薬物誘導性血小板減少症からなる群から選択される、請求項１０記載の抗体生成物。
【請求項１３】
血小板減少症が、先天性血小板減少症、血栓性血小板減少性紫斑病、溶血性尿毒症症候群によって引き起こされる血小板減少症、化学療法によって引き起こされる血小板減少症、放射線によって引き起こされる血小板減少症、栄養不足によって引き起こされる血小板減少症、および骨髄異形成症候群によって引き起こされる血小板減少症からなる群から選択される、請求項１１記載の抗体生成物。
【請求項１４】
ポリクローナル抗体生成物が、少なくとも３つの異なる抗体、例えば、少なくとも４つ、少なくとも５つ、少なくとも６つ、少なくとも７つ、少なくとも８つ、少なくとも９つ、少なくとも１０個、少なくとも１１個、少なくとも１２個、少なくとも１３個、少なくとも１４個、少なくとも１５個、少なくとも１６個、少なくとも１７個、少なくとも１８個、少なくとも１９個、少なくとも２０個、少なくとも２１個、少なくとも２２個、少なくとも２３個、少なくとも２４個または少なくとも２５個の異なる抗体を含む、請求項１〜１３のいずれか１項記載の抗体生成物。
【請求項１５】
ポリクローナル抗体生成物が、少なくとも３つの別個のエピトープ、例えば、少なくとも４つ、少なくとも５つ、少なくとも６つ、少なくとも７つ、少なくとも８つ、少なくとも９つ、少なくとも１０個、少なくとも１１個、少なくとも１２個、少なくとも１３個、少なくとも１４個、少なくとも１５個、少なくとも１６個、少なくとも１７個、少なくとも１８個、少なくとも１９個、少なくとも２０個、少なくとも２１個、少なくとも２２個、少なくとも２３個、少なくとも２４個または少なくとも２５個の別個のエピトープに結合することができる抗体を含む、請求項１〜１４のいずれか１項記載の抗体生成物。
【請求項１６】
抗体がイソ型ＩｇＧ１である、請求項１〜１５のいずれか１項記載の抗体生成物。
【請求項１７】
抗体が多価である、請求項１〜１６のいずれか１項記載の抗体生成物。
【請求項１８】
組み換え抗−ＲｈＤ抗体がヒト定常領域を含む、請求項１〜１７のいずれか１項記載の抗体生成物。
【請求項１９】
抗体がヒト可変領域を含む、請求項１〜１８のいずれか１項記載の抗体生成物。
【請求項２０】
ＶＨ：ＶＬ対由来のＣＤＲ１、ＣＤＲ２およびＣＤＲ３領域が、図３および４に記載のＣＤＲ１、ＣＤＲ２およびＣＤＲ３領域から選択される、請求項１〜１９のいずれか１項記載の抗体生成物。
【請求項２１】
２５個の個々のモノクローナル抗−ＲｈＤ抗体産生細胞系統（ＲｈＤ１５７、１５９、１６０、１６２、１８９、１９１、１９２、１９６、１９７、１９９、２０１、２０２、２０３、２０７、２４０、２４１、２４５、２９３、３０１、３０５、３０６、３１７、３１９、３２１、３２４）を用いる、抗−ＲｈＤ  ｒｐＡｂを含有するｐＷＣＰの発生を含む方法によって生産される、請求項１〜２０のいずれか１項記載の抗体生成物。
【請求項２２】
クローンＲｈＤ１５７、１５９、１６０、１６２、１８９、１９１、１９２、１９６、１９７、１９９、２０１、２０２、２０３、２０７、２４０、２４１、２４５、２９３、３０１、３０５、３０６、３１７、３１９、３２１、３２４によってコードされる２５個の抗体のＣＤＲ配列を有する抗体を含む、請求項１〜２１のいずれか１項記載の抗体生成物。
【請求項２３】
クローンＲｈＤ１５７、１５９、１６０、１６２、１８９、１９１、１９２、１９６、１９７、１９９、２０１、２０２、２０３、２０７、２４０、２４１、２４５、２９３、３０１、３０５、３０６、３１７、３１９、３２１、３２４によってコードされる２５個の抗体のＶＨＶＬ配列を有する抗体を含む、請求項１〜２２のいずれか１項記載の抗体生成物。
【請求項２４】
抗体が患者の体重１ｋｇあたり特異的抗体を１０−５００μｇの用量で投与するために抗体を調製する、血小板減少症の治療または予防のための医薬の製造における、請求項１〜２３のいずれか１項記載の抗体生成物の使用。
【請求項２５】
血小板減少症に罹患している対象における抗−ＲｈＤに基づく治療の間に血管外溶血を回避するための医薬組成物であって、患者の体重１ｋｇあたり特異的抗体１０−５００μｇの用量で投与するための、治療上有効量の組み換え抗−ＲｈＤ抗体を含む医薬組成物。
【請求項２６】
血小板減少症に罹患している対象が貧血も患っている、請求項２５記載の医薬組成物。
【請求項２７】
請求項１〜２０のいずれか１項記載の抗体生成物および少なくとも１つの付加的な成分を含む、血小板減少症の同時、別々の、または連続的な治療のためのパーツキット。
【誤訳訂正書】
【提出日】平成23年12月16日(2011.12.16)
【誤訳訂正１】
【訂正対象書類名】特許請求の範囲
【訂正対象項目名】全文
【訂正方法】変更
【訂正の内容】
【特許請求の範囲】
【請求項１】
以下の式（Ｉ）：
【化１】
2012500819.tif 000001
によって表される結晶性Ｎ‐（２‐アミノフェニル）‐４‐［Ｎ‐（ピリジン‐３‐イル）‐メトキシカルボニルアミノ-メチル］‐ベンズアミドの結晶多形Ｂであって、ラマンスペクトルが、９０２ｃｍ-1、３０６３ｃｍ-1、１６３９ｃｍ-1及び９１６ｃｍ-1にバンドを持つ、前記結晶多型Ｂ。
【請求項２】
以下の式（Ｉ）：
【化２】
2012500819.tif 000002
によって表される結晶性Ｎ‐（２‐アミノフェニル）‐４‐［Ｎ‐（ピリジン‐３‐イル）‐メトキシカルボニル‐アミノメチル］‐ベンズアミドの結晶多形Ｂ化合物の製造方法であって、以下の：
ａ）未精製のＮ‐（２‐アミノフェニル）‐４‐［Ｎ‐（ピリジン‐３‐イル）‐メトキシカルボニルアミノメチル］‐ベンズアミドを水中に懸濁し、５℃未満の一定の反応器内温度にて、希塩酸をその反応混合物に加え、そして
ｂ）前記反応混合物に炭を加え、その後、反応混合物を５℃未満の温度にて１〜２０時間撹拌し、そして
ｃ）濾過して溶液から炭を取り除き、水ですすぎ、そして
ｄ）５℃未満の容器内温度を維持しながら、希釈した水酸化ナトリウム水溶液で反応混合物のｐＨを≧８に調整し、そして
ｅ）得られた沈殿Ｎ‐（２‐アミノフェニル）‐４‐［Ｎ‐（ピリジン‐３‐イル）‐メトキシカルボニルアミノメチル］‐ベンズアミドを、水及びエタノールで洗浄し、それを乾燥させ、そして
ｆ）沈殿物を、エタノールと水の混合物中に懸濁し、４０〜９０℃の温度まで１時間〜１０時間かけて加熱し、そして
ｇ）混合物を冷ました後に、得られた沈殿物を、水及びエタノールですすぎ、続いて３０〜６０℃の温度にて乾燥させて純粋なＮ‐（２‐アミノフェニル）‐４‐［Ｎ‐（ピリジン‐３‐イル）‐メトキシカルボニルアミノメチル］‐ベンズアミド結晶多形Ｂを得ること、
を特徴とし、ここで上記結晶多型Ｂのラマンスペクトルが、９０２ｃｍ-1、３０６３ｃｍ-1、１６３９ｃｍ-1及び９１６ｃｍ-1にバンドを持つ、前記製造方法。
【請求項３】
ステップｃ）の後にＮ‐（２‐アミノフェニル）‐４‐［Ｎ‐（ピリジン‐３‐イル）‐メトキシカルボニル‐アミノメチル］‐ベンズアミドの純度が不十分であった場合に、ステップｂ）及びステップｃ）を繰り返すことを特徴とする、請求項２に記載の方法。
【請求項４】
請求項２及び３に従って製造されることを特徴とする、請求項１に記載の結晶性Ｎ‐（２‐アミノフェニル）‐４‐［Ｎ‐（ピリジン‐３‐イル）‐メトキシカルボニル‐アミノメチル］‐ベンズアミド結晶多形Ｂ。
【請求項５】
そのＸ線回折図が、２θ＝２１．１°、２０．４°及び２７．４°に反射を持つことを特徴とする、請求項１又は４に記載の結晶性Ｎ‐（２‐アミノフェニル）‐４‐［Ｎ‐（ピリジン‐３‐イル）‐メトキシカルボニル‐アミノメチル］‐ベンズアミド結晶多形Ｂ。
【請求項６】
前記結晶多型のＸ線回折図が、２θ＝２１．１°、２０．４°、及び２７．４°で反射を有し、そして前記ラマンスペクトルが、９０２ｃｍ-1、３０６３ｃｍ-1、１６３９ｃｍ-1及び９１６ｃｍ-1にバンドを持ち、そしてＩＲ（ＡＴＲ）スペクトルが、１７０２ｃｍ-1、３３０９ｃｍ-1、１６３８ｃｍ-1、１２６０ｃｍ-1及び７４９ｃｍ-1にバンドを持ち、そしてＩＲスペクトル（ＫＢｒ）が、１７０５ｃｍ-1、３３１１ｃｍ-1、１６４１ｃｍ-1、１２６２ｃｍ-1、及び７５１ｃｍ-1にバンドを持つ、請求項１に記載のＮ‐（２‐アミノフェニル）‐４‐［Ｎ‐（ピリジン‐３‐イル）‐メトキシカルボニル‐アミノメチル］‐ベンズアミド結晶多形Ｂ。
【請求項７】
悪性腫瘍、自己免疫疾患、皮膚科的疾患及び寄生虫感染症の治療に使用するための組成物であって、単独で、又は医薬的に許容しうる希釈剤及び／又は担体と組み合わせてＮ-（２-アミノフェニル-４-[Ｎ-（ピリジン-３-イル）-メトキシカルボニルアミノ-メチル]−ベン図アミド結晶多形Ｂを含んでなり、ここで上記結晶多型Ｂのラマンスペクトルが、９０２ｃｍ-1、３０６３ｃｍ-1、１６３９ｃｍ-1及び９１６ｃｍ-1にバンドを持つ、前記組成物。
【請求項８】
１種類又は複数の細胞毒性薬又は細胞溶解薬をさらに含む、請求項７に記載の組成物。
【請求項９】
悪性腫瘍の治療用の組み合わせ剤であって、Ｎ‐（２‐アミノフェニル）‐４‐［Ｎ‐（ピリジン‐３‐イル）‐メトキシカルボニル‐アミノメチル］‐ベンズアミド結晶多形Ｂと、１又は複数の細胞毒性薬又は細胞溶解薬とを含み、当該結晶多形Ｂのラマンスペクトルが、９０２ｃｍ-1、３０６３ｃｍ-1、１６３９ｃｍ-1及び９１６ｃｍ-1にバンドを持ち、そして当該結晶多形Ｂが、細胞毒性薬又は細胞溶解薬と同時に、別々に、又は連続して適用される、前記組み合わせ剤。
【誤訳訂正２】
【訂正対象書類名】明細書
【訂正対象項目名】００１４
【訂正方法】変更
【訂正の内容】
【００１４】
工程開発（スケールアップや変更された精製工程）の過程の中で、驚いたことに、先に触れた最新技術の中で記載されているＮ‐（２‐アミノフェニル）‐４‐［Ｎ‐（ピリジン‐３‐イル）‐メトキシカルボニル‐アミノメチル］‐ベンズアミドの既知の形態は、前述の化合物の熱力学的に安定した結晶多形でなく、少なくとも６０℃未満の関連温度範囲内で熱力学的に安定した結晶多形ではないこと、しかし、Ｎ‐（２‐アミノフェニル）‐４‐［Ｎ‐（ピリジン‐３‐イル）‐メトキシカルボニル‐アミノメチル］‐ベンズアミドの結晶多形Ａであることがここでわかった。
【誤訳訂正３】
【訂正対象書類名】明細書
【訂正対象項目名】００２９
【訂正方法】変更
【訂正の内容】
【００２９】
追加的な特徴づけは、ラマンスペクトルによって与えられる、ここで、結晶性Ｎ‐（２‐アミノフェニル）‐４‐［Ｎ‐（ピリジン‐３‐イル）‐メトキシカルボニル‐アミノメチル］‐ベンズアミド結晶多形Ｂは、９０２ｃｍ-1、３０６３ｃｍ-1、１６３９ｃｍ-1及び９１６ｃｍ-1にそのバンドを持つ。
Ｎ‐（２‐アミノフェニル）‐４‐［Ｎ‐（ピリジン‐３‐イル）‐メトキシカルボニル‐アミノメチル］‐ベンズアミドの結晶多形ＢのＩＲスペクトルは、以下の特徴的なバンド：ＩＲ（ＫＢｒ）ｃｍ-1：３３４９、３３１１、１７０５、１６４１、１２６２及び７５１、並びにＩＲ（ＡＴＲ）ｃｍ-1：３３４９、３３０９、１７０２、１６３８、１２６０及び７４９を示す。
【誤訳訂正４】
【訂正対象書類名】明細書
【訂正対象項目名】００３０
【訂正方法】変更
【訂正の内容】
【００３０】
よって、純粋な結晶性Ｎ‐（２‐アミノフェニル）‐４‐［Ｎ（ピリジン‐３‐イル）‐メトキシカルボニル‐アミノメチル］‐ベンズアミド結晶多形Ｂの特徴は、２θ＝２１．１°、２０．４°及び２７．４°に反射を持つそのＸ線回折図、９０２ｃｍ-1、３０６３ｃｍ-1、１６３９ｃｍ-1及び９１６ｃｍ-1にバンドを持つＦＴ−ラマンスペクトル、１７０５ｃｍ-1、１６４１ｃｍ-1、１２６２ｃｍ-1及び７５１ｃｍ-1にバンドを持つそのＩＲ（ＫＢｒ）スペクトル、並びに１７０２ｃｍ-1、１６３８ｃｍ-1、１２６０ｃｍ-1及び７４９ｃｍ-1にバンドがあるそのＩＲ（ＡＴＲ）スペクトルである。
【手続補正書】
【提出日】平成24年7月27日(2012.7.27)
【手続補正１】
【補正対象書類名】明細書
【補正対象項目名】００２５
【補正方法】変更
【補正の内容】
【００２５】
本方法のフローチャートに示され得るように（図１はマキシプロピレンレジームを、図２はマキシガソリンレジームを示す）、一方のレジームから他方のレジームへと変動することは、非常に簡単である。例として、「マキシプロピレン」レジームから「マキシガソリン」レジームへ移り変わるためには、Ｃ３＋Ｃ４オレフィン留分（Ｃ４留分だけまたはＣ４＋Ｃ５留分ではない）をオリゴマー化単位装置に送るだけで十分であり、これにより形成されたオリゴマーはもはや接触分解単位装置に再循環させられない。
【手続補正２】
【補正対象書類名】明細書
【補正対象項目名】００４３
【補正方法】変更
【補正の内容】
【００４３】
「マキシガソリン」様式において、生成したオリゴマーの大部分または全部が、接触分解流出物の分留によって得られたガソリン留分に添加される。ガソリンの収率は、沸点が３４０℃超である炭化水素の量に対して、従って、一般的に３５〜６５重量％の範囲、通常５０〜６０重量％の範囲である。プロピレンの収率は、沸点が３４０℃超である炭化水素の量に対して、一般的に１重量％未満であり、このプロピレンは、一般に、特に回収されない。
【手続補正３】
【補正対象書類名】明細書
【補正対象項目名】００４４
【補正方法】変更
【補正の内容】
【００４４】
「マキシプロピレン」様式において、生成したオリゴマーの一部、すなわち、少なくとも３０％、好ましくは全部が、接触分解に再循環させられる。ガソリンの収率は、沸点が３４０℃超である炭化水素の量に対して、一般的に３５〜５５重量％の範囲、通常４０〜５０重量％の範囲である。プロピレンの収率は、沸点が３４０℃超である炭化水素の量に対して、一般的に４〜２０重量％の範囲、通常５〜１５重量％の範囲、より通常には７〜１２重量％の範囲である。